(57)【要約】【課題】換気装置利用者の操作によらず適切な照明の点灯消灯の切り替えが行え、利用者の手元を適切に照らし視認性と作業性を向上させる。【解決手段】換気を行う送風機２と、換気対象エリア中の想定される使用者の作業範囲を照らす照明装置３と、使用者が操作する操作手段４と、この操作手段４を使用者が操作したときに送風機の運転停止、および照明装置の点灯消灯を切り替える制御手段５を換気扇本体の筐体１に一体に備え、この制御手段５を照明装置３を点灯状態から消灯状態へ切り替えるときには、通電開始後、照明装置が完全に点灯するために必要な規定の遅れ時間経過後に実施する構成することにより、使用者の操作に状態によらず適切な照明の点灯消灯の切り替えが行える照明付き換気装置を提供できる。【選択図】図１ 
2005140364.tif 000002
【特許請求の範囲】
【請求項１】
換気を行う送風機と、換気対象エリア中の想定される使用者の作業範囲を照らす照明装置と、使用者が操作する操作手段と、この操作手段を使用者が操作したときに送風機の運転停止、および照明装置の点灯消灯を切り替える制御手段を換気扇本体の筐体に一体に備え、この制御手段を照明装置を点灯状態から消灯状態へ切り替えるときには、通電開始後、照明装置が完全に点灯するために必要な所定の遅れ時間経過後に切り替えを行うように構成した照明付き換気装置。
【請求項２】
照明装置をスポット照明とし、照明装置が照らす範囲の中央を使用者の作業範囲の中心と同軸として、前記筐体に対し可動自在に係合した照明付き換気装置。
【請求項３】
照明装置をスポット照明型の白熱電球と広範囲照明型の白色タイプの蛍光灯の２種類を間隔を開けて備えたことを特徴とする照明付き換気装置。
【請求項４】
照明装置を蛍光灯と白熱電球の２種類を備えた構成において、前記制御手段を照明装置を消灯状態から点灯状態へ切り替えるときには白熱電球を順次光量増大し点灯させ、白熱電球を完全点灯させた後に蛍光灯を点灯させ、点灯状態から消灯状態へ切り替えるときには蛍光灯を消灯させた後、白熱電球を順次光量減少し消灯させるように構成とした照明付き換気装置。
【請求項５】
点灯状態から消灯状態へ切り替えるときには、通電開始後、照明装置が完全に点灯するために必要な所定の遅れ時間経過後に切り替えを行うように構成する制御手段を備えた照明装置。
【発明の詳細な説明】
【技術分野】
【０００１】
本発明は、台所等の換気を行う、照明付き換気装置に関する。
【背景技術】
【０００２】
従来、この種の照明付き換気装置は、調理時の手元を照らすために換気装置の筐体の下方向に白熱電球やグローランプや電子点灯管を点灯装置としたコスト的安価な蛍光灯が固定状態で取り付けられているものが一般的であった（例えば、特許文献１、特許文献２参照）。
【０００３】
以下、その照明付き換気装置について図１４および図１５を参照しながら説明する。
【０００４】
図に示すように、換気装置の外郭を成す筐体１０１に換気対象エリア中の想定され使用者の作業範囲を照らす方向に照明装置１０２が固定状態で取り付けられ、操作部１０３に設けられたロックタイプの接点スイッチ１０４を使用者が押すと照明装置１０２に商用電源１０５の電力が供給され、照明装置１０２は点灯するものであった。
【特許文献１】特開平１０−１７６８５４号公報
【特許文献２】特開２０００−９７４５９号公報
【発明の開示】
【発明が解決しようとする課題】
【０００５】
このような従来の照明付き換気装置では、使用者が調理作業中の手が汚れた状態で換気装置が汚れることを気にするなどして接点スイッチ１０４が完全に導通状態とならない程度に押された場合、接点スイッチ１０４の接点が短時間の間に開閉したり、また、使用者が調理作業の合間に意図的に短い間隔で接点スイッチ１０４を操作した場合、照明装置１０２が特に電子点灯管を点灯装置とした蛍光灯を使用したものでは、蛍光灯が完全点灯する前に照明の電源がＯＦＦされたときには、電子点灯管の保護機能が働き、次の点灯開始までに１０秒程度のリセット時間が必要となるため、このリセット時間が経過しなければ、再度電源がＯＮ状態になっても蛍光灯が点灯しない課題があり、使用者の操作に状態によらず適切な照明装置の点灯消灯が行えることが要求されている。
【０００６】
また、照明装置１０２が白熱電球の場合には、想定される使用者の作業範囲全体を均一に明るく照らそうとした場合、消費電力の大きい電球を採用する必要があるため、発熱が多くなり、使用者の作業環境を悪化する課題があり、発熱を増大させないで想定される使用者の作業範囲を効率的に照明することが要求されている。
【０００７】
また、照明装置１０２が白熱電球の場合には、一般的には点光源型のオレンジ系の電球色であるため、使用者自体の作業時の動作により、照明が遮られ、遮られた方向に影が生じ、視認性が低下し、さらには白熱電球特有のオレンジ系の光により調理物の正確な色を判断し難いなど、全体として作業性が低下を招く課題があり、使用者の作業範囲内の影の発生を抑制し、調理物の適切な色判断を可能とする照明が要求されている。
【０００８】
また、照明の点灯、消灯時には作業範囲の明るさが瞬間に大きく変化するため使用者の眩惑を招き、作業性が低下する課題があり、照明の点灯消灯時の急激な明るさの変化を抑制することが要求されている。
【０００９】
本発明は、このような従来の課題を解決するものであり、使用者の操作に状態によらず適切な照明の点灯消灯を行うことができ、また、発熱を増大させないで使用者の作業範囲を適切に照明することができ、また、使用者の作業範囲内の影の発生を抑制し、調理物の適切な色判断を可能とし、また、照明の点灯消灯時の急激な明るさの変化を抑制することのできる照明付き換気装置を提供することを目的としている。
【課題を解決するための手段】
【００１０】
本発明の照明付き換気装置は上記目的を達成するために、換気を行う送風機と、換気対象エリア中の想定される使用者の作業範囲を照らす照明装置と、使用者が操作する操作手段と、この操作手段を使用者が操作したときに送風機の運転停止、および照明装置の点灯消灯を切り替える制御手段を換気扇本体の筐体に一体に備え、この制御手段を照明装置を点灯状態から消灯状態へ切り替えるときには、通電開始後、照明装置が完全に点灯するために必要な所定の遅れ時間経過後に切り替えを行うように構成したものである。
【００１１】
この手段により制御手段は照明装置を点灯状態から消灯状態へ切り替えるときには、照明装置に通電開始後、照明装置が完全に点灯するために必要な所定の遅れ時間経過後に切り替えを行ため、使用者の操作に状態によらず適切な照明装置の点灯消灯が行える照明付き換気装置が得られる。
【００１２】
また、前記照明装置をスポット照明とし、照明装置が照らす範囲の中央を使用者の作業範囲の中心と同軸として、前記筐体に対し可動自在に係合するように構成したものである。
【００１３】
この手段により使用者が可動自在としたスポット照明を動かし、使用者の作業範囲内の使用者の望む範囲を中央として照明が行えるため、発熱を増大させないで想定される使用者の作業範囲を効率的に照明する照明付き換気装置が得られる。
【００１４】
また、前記照明装置をスポット照明型の白熱電球と広範囲照明型の白色タイプの蛍光灯の２種類を間隔を開けて備えた構成としたものである。
【００１５】
この手段によりスポット照明型の白熱電球と広範囲照明型の白色タイプの蛍光灯により異なる２カ所から使用者の作業範囲は照らされるため、使用者の作業範囲内の影の発生が抑制され、蛍光灯の白色系の光と白熱電球のオレンジ系の光のミックス効果により調理物の適切な色を使用者がより判断し易くなる照明付き換気装置が得られる。
【００１６】
また、前記照明装置を蛍光灯と白熱電球の２種類を備えた構成において、前記制御手段を照明装置を消灯状態から点灯状態へ切り替えるときには白熱電球を順次光量増大し点灯させ、白熱電球を完全点灯させた後に蛍光灯を点灯させ、点灯状態から消灯状態へ切り替えるときには蛍光灯を消灯させた後、白熱電球を順次光量減少し消灯させるように構成としたものである。
【００１７】
この手段により制御手段は照明装置を消灯状態から点灯状態へ切り替えるときには白熱電球を順次光量増大し点灯させ、白熱電球を完全点灯させた後に蛍光灯を点灯させ、点灯状態から消灯状態へ切り替えるときには蛍光灯を消灯させた後、白熱電球を順次光量減少し消灯するため、照明装置の点灯消灯時の急激な明るさの変化を抑制することができる。
【発明の効果】
【００１８】
本発明によれば、使用者の操作に状態によらず適切な照明装置の点灯消灯を行うことができる。
【００１９】
また、発熱を増大させないで使用者の作業範囲を適切に照明することができる。
【００２０】
また、使用者の作業範囲内の影の発生が抑制し、蛍光灯の白色系の光と白熱電球のオレンジ系の光のミックス効果により調理物の適切な色を使用者がより判断し易くなる。
【００２１】
また、照明装置の点灯消灯時の急激な明るさの変化による使用者の眩惑を抑制することで、使用者の作業性をより向上させる照明付き換気装置を提供することができる。
【発明を実施するための最良の形態】
【００２２】
本発明の請求項１記載の発明は、換気を行う送風機と、換気対象エリア中の想定される使用者の作業範囲を照らす照明装置と、使用者が操作する操作手段と、この操作手段を使用者が操作したときに送風機の運転停止、および照明装置の点灯消灯を切り替える制御手段を換気扇本体の筐体に一体に備え、この制御手段を照明装置を点灯状態から消灯状態へ切り替えるときには、通電開始後、照明装置が完全に点灯するために必要な所定の遅れ時間経過後に切り替えを行うように構成したものであり、照明装置が電子点灯管を点灯装置とした蛍光灯で使用者が照明の点灯，消灯の操作を短時間に繰り返しても、適切な照明装置の点灯消灯が行えるという作用を有する。
【００２３】
以下、本発明の実施の形態について図面を参照しながら説明する。
【００２４】
（実施の形態１）
図１から図３に示すように、台所や厨房等で調理時に発生する湯気や煙、塵埃等で汚れた汚染空気を室外に排気あるいは換気するために使用される換気扇本体を成す筐体１に汚染空気の換気を行うための送風機２と換気対象エリア中の想定される使用者の調理等の作業範囲を照らすため下方向を明るくする照明装置３と使用者の換気扇を運転するための操作を受け付けるスイッチ等の操作手段４と、この操作手段４を使用者が操作したときに送風機２の運転停止、および照明装置３の点灯消灯を切り替える制御手段５を備えている。
【００２５】
なお、本実施の形態は、台所の調理台の上方に取り付けられた台所用換気扇であって、この換気扇本体は、その下側に汚染空気を捕集するフードと、このフードの上方にファンとモータを具備した送風機２を備え、この送風機の風下側には屋外に通じる壁開口あるいはダクトを有し、送風機を運転することで、室内調理時の汚染空気等をフードで捕集し、捕集した汚染空気を壁開口あるいはダクトから屋外に排出するものである。
【００２６】
そして、照明装置３はフード部分に設置されており下方向の調理台等の人が作業する部分を照らせるようになっている。
【００２７】
また、図３に示すように操作手段４は使用者の操作を直接受け付けるスイッチ７と制御電源１０に直列に接続される抵抗８ａからなり、スイッチ７の押された状態を電圧値の変化に変換するものである。
【００２８】
一方、制御手段５はマイクロコンピューター１１と、マイクロコンピューター１１の出力端子１３ａ，１３ｂに接続される抵抗と、抵抗８ｂ，８ｃに流れる電流の有無により各負荷である送風機２と照明装置３への商用電源９の導通，非導通を切り替える双方向サイリスター１４ａ，１４ｂからなり、スイッチ７により電圧信号に変換された使用者の操作状態はマイクロコンピューター１１の入力端子１２に入力され、マイクロコンピューター１１は入力端子１２に入力された電圧信号に基づいて使用者の操作内容を認識し、マイクロコンピューター１１の内部にプログラムされた制御プロセスに基づいて出力端子１３ａ，１３ｂを介して各抵抗８ｃ，８ｂの電流の有無を変化させ、各双方向サイリスター１４ａ，１４ｂのＯＮ／ＯＦＦ状態を切り替えて負荷の動作を制御するものである。
【００２９】
ここで、制御電源１０は商用電源９からトランス等で減圧した交流電圧を整流し低電圧安定化した、一般的な整流安定化電源回路により供給するものである。
【００３０】
ここで、マイクロコンピューター１１は中央演算装置（ＣＰＵ）、入出力装置、アナログ・デジタル変換入力装置（Ａ／Ｄ）、リードオンリーメモリー（ＲＯＭ）、リード・ライトメモリー（ＲＡＭ）を内蔵したいわゆる１チップマイクロコンピューターである。
【００３１】
ここで、照明装置３は電子点灯管を点灯装置とした一般的な短時間点灯型の蛍光灯である。
【００３２】
次に図４，図５に基づいてマイクロコンピューター１１の照明装置３の通電制御プロセスについて説明する。
【００３３】
図４，図５は照明制御のプロセスを示したものであり、マイクロコンピューター１１が認識したスイッチ７の操作状態とマイクロコンピューター１１が変更する照明装置３への通電の状態の時間的変化を示した照明制御タイムチャート図である。
【００３４】
図４に示すように、照明装置３への通電を停止しているとき、スイッチ７が押されたポイント２０ａにおいて、照明装置３への通電と所定時間ｔａ２１の計測を開始し、所定時間ｔａ２１が経過するまでに、再度、スイッチ７が押された場合（ポイント２０ｂ）には、所定時間ｔａ２１の経過後のポイント２０ｃを待ち、照明装置３への通電を停止する。
【００３５】
また、図５のように、規定時間ｔａ２１が経過するまでに、スイッチ７が２回押された場合（ポイント２０ｄとポイント２０ｅ）には、所定時間ｔａ２１の経過後のポイント２０ｆにおいても照明装置３への通電を停止しないように制御するものである。
【００３６】
つまり、照明装置３への通電開始から所定時間ｔａ２１の間は、スイッチ７の操作結果に基づく照明装置３への通電切り替えは実施せずに、所定時間ｔａ２１が経過した時点の最新のスイッチ７の操作の認識結果に基づいて照明装置３の通電切り替えを実施するものである。
【００３７】
ここで、所定時間ｔａ２１は構成を成す照明装置３が通電開始から完全に点灯するまでの時間の実測値に基づいて設定するものであり、例えば電子点灯管を点灯装置とした一般的な短時間点灯型の蛍光灯の場合、１秒〜２秒程度を設定するものである。
【００３８】
上記構成において、制御手段５が照明装置３に電源を通電していない状態において使用者が操作手段４のスイッチ７を押した場合、マイクロコンピューター１１は照明装置３の点灯開始を判断し、照明装置３に対して双方向サイリスター１４ａを導通状態とすることで商用電源９からの電源印加を開始し、照明装置３を点灯させ、また、同時に所定時間ｔａ２１の計測を開始し、この所定時間ｔａ２１の計測中に使用者が操作手段４のスイッチ７を再度押した場合、マイクロコンピューター１１は照明装置３の消灯操作を認識するが、所定時間ｔａ２１が経過するまで照明装置３への通電を保持し、経過後に照明装置３への通電を停止し照明装置３を消灯することとなる。
【００３９】
なお、照明装置３が電子点灯管を点灯装置とした一般的な短時間点灯型の蛍光灯である以外、一般的な白熱電球であっても、点灯状態から消灯状態へ切り替えるときの所定の遅れ時間を、通電初期の白熱電球に突入電流が流れる期間以上に設定することにより、使用者が照明の点灯，消灯の操作を短時間に繰り返しても、白熱電球の通電開始時に繰り返し流れる突入電流を緩和できるために、白熱電球および、電力制御素子（ここでは、双方向サイリスター）の過電流による劣化を抑制できることは言うまでもない。
【００４０】
（実施の形態２）
次に、実施の形態２について図を参照しながら説明する。
【００４１】
なお実施の形態１と同構成部分は同一番号で示し、詳細な説明は省略する。
【００４２】
図６から図８に示すように、換気扇本体を成す筐体１に照明装置３ａを内部に保持し筐体１に取り付ける照明可動構成３０を有し、この照明可動構成３０は図上に一点鎖線で概略示した使用者作業範囲３１の中央に、図上、波線で概略示される照明装置３ａの照明範囲３２の中央が位置するように照明装置３ａを筐体１に配置し構成するものである。
【００４３】
照明可動構成３０は筐体１に構成された筐体球面保持部３３と、この筐体球面保持部３３の内部に動作自在に係合される球体照明部外郭３４からなり、球体照明部外郭３４には照明窓３５が配され、内部にはソケット３６が固定されており、照明装置３ａはこのソケット３６に保持され、発する光は照明窓３５を介して外部に放出される。
【００４４】
また、球体照明部外郭３４の外部の使用者作業範囲３１方向の面には照明方向操作レバー３７が配されている。
【００４５】
ここで、照明装置３ａは照明範囲は狭いが照明範囲内は比較的明るく照らせるスポットライト型の白熱電球等が最適であり、例えば３０Ｗ〜６０Ｗ程度のハロゲンランプを使用するものである。
【００４６】
上記構成において、使用者が使用者作業範囲３１の中で照明装置３ａの照明範囲３２を変更したいときには図９と図１０に示すように、照明方向操作レバー３７を操作し、筐体１に構成された筐体球面保持部３３の内の球体照明部外郭３４を回転位置を移動させることにより照明範囲３２を自在に設定できるものである。
【００４７】
なお、照明可動構成３０は、本記載の構成によらず、例えばフレキシブルな可動軸により照明装置３ａを筐体１の外部に突出させ保持する構成であっても、その作用効果は変わらないことはいうまでもない。
【００４８】
（実施の形態３）
次に、実施の形態３について図を参照しながら説明する。
【００４９】
なお実施の形態１又は２と同構成部分は同一番号で示し、詳細な説明は省略する。
【００５０】
図１１に示すように、換気扇本体を成す筐体１に換気対象エリア中の想定される、図上、一点鎖線で概略示される使用者作業範囲３１ａを照らす白熱電球３ｂと蛍光灯３ｃを間隔を開けて備えている。
【００５１】
ここで、白熱電球３ｂは照明範囲は狭いが照明範囲内は比較的明るく照らせるスポットライト型の白熱電球が最適であり、例えば３０Ｗ〜６０Ｗ程度のハロゲンランプが良く、図上、波線で概略示した白熱電球照明範囲３２ａが、使用者作業範囲３１ａの中でも使用者の作業中が集中する範囲を中央として配置するものである。
【００５２】
ここで、蛍光灯３ｃは白色タイプで広範囲な照明が可能な一般的な直管タイプものが良く、図上、２点鎖線で概略示した蛍光灯照明範囲３２ｂが使用者作業範囲３１ａのほぼ全体を照らせるものを選定し、配置するものである。
【００５３】
上記構成において、使用者が照明を点灯させた場合、使用者作業範囲３１ａのほぼ全体は蛍光灯３ｃの蛍光灯照明範囲３２ｂにより照らされ、また、使用者作業範囲３１ａの中の使用者の作業中が集中する範囲は白熱電球３ｂのスポット型の白熱電球照明範囲３２ａにより集中的に照らされ、よって、異なる２カ所から照明されることとなる。
【００５４】
（実施の形態４）
次に、実施の形態４について図を参照しながら説明する。
【００５５】
なお実施の形態１、２又は３と同構成部分は同一番号で示し、詳細な説明は省略する。
【００５６】
図１２に示すように、本実施の形態は実施の形態１に対し、照明装置３を白熱電球３ｄと蛍光灯３ｅの２種類を備えた構成とし、制御手段５が照明装置３を消灯状態から点灯状態へ切り替えるときには白熱電球３ｄを順次光量増大し点灯させ、完全点灯させた後に蛍光灯３ｅを点灯させ、照明装置３を点灯状態から消灯状態へ切り替えるときには蛍光灯３ｅを消灯させた後、白熱電球３ｄを順次光量減少し消灯させるように構成したものであり、操作手段４による使用者の照明の点灯消灯の操作状態の認識と、および、制御手段５の双方方向サイリスター回路を応用した照明装置３の通電制御方法は同一の構成によるものである。
【００５７】
なお、白熱電球３ｄの光量の可変は双方方向サイリスター回路構成を応用した一般的な位相制御で実現するものであり、商用電源９の零電圧を基準としマイクロコンピューター１１により双方方向サイリスター回路構成の位相制御時間幅を変更することで白熱電球３ｄへの商用電源９からの電力供給量を変化させ光量の可変を実現するものである。
【００５８】
次に図１３に基づいてマイクロコンピューター１１の白熱電球３ｄと蛍光灯３ｅの通電制御プロセスについて説明する。
【００５９】
図１３は照明制御のプロセスを示したものであり、マイクロコンピューター１１が認識した使用者の照明の点灯消灯のスイッチ操作とマイクロコンピューター１１が制御する白熱電球３ｄの位相制御による光量可変の状態と、さらに蛍光灯３ｅの点灯の状態の時間的変化を示した照明制御のタイムチャート図である。
【００６０】
図に示すように、白熱電球３ｄと蛍光灯３ｅへの通電を停止しているとき、使用者の照明点灯の操作を認識したポイント４０ａにおいては、白熱電球３ｄへの電力印加を調整する位相制御通電率を０％から１００％へ順次変更することで、白熱電球３ｄの照度を０％から１００％に徐々に明るくし、白熱電球３ｄが１００％点灯したポイント４０ｂにおいて蛍光灯３ｅを点灯させる。
【００６１】
また、白熱電球３ｄと蛍光灯３ｅへの通電を行い、点灯状態としているとき、使用者の照明消灯の操作を認識したポイント４０ｃにおいては、まず蛍光灯３ｅを消灯し、次に白熱電球３ｄへの電力印加を調整する位相制御通電率を１００％から０％へ順次変更することで、白熱電球３ｄの照度を１００％から０％に徐々に暗くし、最終的に消灯（図上、ポイント４０ｄ）させるものである。
【００６２】
なお、上記白熱電球３ｄの印加電力を変更させる位相制御通電率の変更時間は、使用する白熱電球３ｄと蛍光灯３ｅの組み合わされた状態において、照明の点灯と消灯の輝度変化の影響で使用者に眩惑を与えない点を考慮し、実験的に求めるものであり、使用者の照明操作に対する即応性も考慮した場合、例えば２秒から５秒程度の間で白熱電球３ｅを消灯状態から１００％点灯、あるいは１００％点灯状態から消灯状態に輝度制御するものである。
【００６３】
上記構成において、照明装置３が消灯しているときに使用者が照明の点灯を操作したときは、まず白熱電球３ｄの照度は０％から１００％に徐々に明るくなり、白熱電球３ｄが１００％点灯した状態において蛍光灯３ｅは点灯され、また、照明装置３が点灯しているときに使用者が照明装置３の消灯を操作したときは、まず蛍光灯３ｅを消灯し、次に白熱電球３ｄの照度は１００％から０％に徐々に暗くなり、最終的に消灯することとなる。
【産業上の利用可能性】
【００６４】
本発明の照明付き換気装置は、使用者の照明の点灯消灯の操作によらず適切に照明の点灯消灯が切り替えられる操作性と、換気対象の作業範囲を効果的に照明し視認性と作業性をより向上できるためレンジフード等の用途として有用である。
【図面の簡単な説明】
【００６５】
【図１】本発明の実施の形態１の照明付き換気装置を示す側面視略断面図
【図２】同照明付き換気装置を示す下面視図
【図３】同照明付き換気装置の略回路構成図
【図４】同照明付き換気装置の制御状態を示した照明制御タイムチャート
【図５】同照明付き換気装置の制御状態を示した照明制御タイムチャート
【図６】本発明の実施の形態２の照明付き換気装置を示す側面視略断面図
【図７】同照明付き換気装置の照明範囲を示した略側面図
【図８】同照明付き換気装置の照明装置を示した側面視略断面図
【図９】同照明付き換気装置の照明装置の動作状態を示した側面視略断面図
【図１０】同照明付き換気装置の照明装置の動作状態を示した側面視略断面図
【図１１】本発明の実施の形態３の照明付き換気装置を示す側面視略断面図
【図１２】本発明の実施の形態４の照明付き換気装置を示す略構成図
【図１３】同照明付き換気装置の制御状態を示した照明制御タイムチャート
【図１４】従来の照明付き換気装置を示す側面視略断面図
【図１５】同照明付き換気装置を示す略構成図
【符号の説明】
【００６６】
１    筐体
２    送風機
３    照明装置
３ａ  照明装置
３ｂ  白熱電球
３ｃ  蛍光灯
３ｄ  白熱電球
３ｅ  蛍光灯
４    操作手段
５    制御手段
【図１】
2005140364.tif 000003
【図２】
2005140364.tif 000004
【図３】
2005140364.tif 000005
【図４】
2005140364.tif 000006
【図５】
2005140364.tif 000007
【図６】
2005140364.tif 000008
【図７】
2005140364.tif 000009
【図８】
2005140364.tif 000010
【図９】
2005140364.tif 000011
【図１０】
2005140364.tif 000012
【図１１】
2005140364.tif 000013
【図１２】
2005140364.tif 000014
【図１３】
2005140364.tif 000015
【図１４】
2005140364.tif 000016
【図１５】
2005140364.tif 000017